(57)【要約】      （修正有）【課題】騒音が少なく、伸縮性を向上したフレキシブルホースを提供する。【解決手段】ホースボディ１０１と、ホースボディの外周面に一定間隔をおいて形成され伸縮性を有する複数の蛇腹部１０３と、を含み、複数の蛇腹部はその内面がホースボディの外周面に対して傾斜して形成された引込み部１１１と、引込み部から延長され外周面に対して垂直に形成された頭部１１３とを含み、頭部は引込み部を介してホースボディの内部と連通しているフレキシブルホースを提供する。【選択図】図４
2008296006.tif 000002
【特許請求の範囲】
【請求項１】
ホースボディと、
前記ホースボディの外周面に一定間隔をおいて形成され伸縮性を有する複数の蛇腹部と、を含み、
前記複数の蛇腹部はその内面が前記ホースボディの外周面に対して傾斜して形成された引込み部と、前記引込み部から延長され前記外周面に対して垂直に形成された頭部とを含み、前記頭部は前記引込み部を介して前記ホースボディの内部と連通していることを特徴とするフレキシブルホース。
【請求項２】
前記引込み部は前記ホースボディが圧縮すると、前記ホースボディと前記頭部との間を遮断するように形成されたことを特徴とする請求項１に記載のフレキシブルホース。
【請求項３】
前記複数の蛇腹部は一側面が内側に折れていることを特徴とする請求項１に記載のフレキシブルホース。
【請求項４】
前記複数の蛇腹部は螺旋状で形成されたことを特徴とする請求項１に記載のフレキシブルホース。
【請求項５】
ホースボディと、
前記ホースボディの外周面に形成され伸縮性を有する複数の蛇腹部と、を含み、
前記複数の蛇腹部は断面の形状が異なる第１蛇腹部と第２蛇腹部とを含み、前記第１蛇腹部と第２蛇腹部は交互に形成されていることを特徴とするフレキシブルホース。
【請求項６】
前記第１蛇腹部は、その内面が前記ホースボディから延長され、前記ホースボディの外周面に対して傾斜して形成された引込み部と、前記引込み部から延長され前記外周面に対して垂直に形成された頭部とを含み、前記頭部は前記引込み部を介して前記ホースボディと連通していることを特徴とする請求項５に記載のフレキシブルホース。
【請求項７】
前記第２蛇腹部は、一側面の内側に前記ホースボディの外周面に対して平行に形成された第１突起と、前記第１突起の上側に、前記第２蛇腹部の他側面の内側に前記第１突起と滑り接触するように形成された第２突起を含むことを特徴とする請求項６に記載のフレキシブルホース。
【請求項８】
前記第１蛇腹部は一側面が内側に折れていることを特徴とする請求項５に記載のフレキシブルホース。
【請求項９】
前記複数の蛇腹部は螺旋状で形成されたことを特徴とする請求項５に記載のフレキシブルホース。
【請求項１０】
吸引ノズルと、
前記吸引ノズルに連結され、前記請求項１ないし請求項９のうちいずれか１項に記載されたフレキシブルホースと、
前記フレキシブルホースに連結される掃除機本体と、
を含むことを特徴とする真空掃除機。
【請求項１１】
前記フレキシブルホースは、前記複数の蛇腹部の引込み部が空気の吸引方向に対して反対方向に向かって傾斜して形成されたことを特徴とする請求項１０に記載の真空掃除機。
【発明の詳細な説明】
【技術分野】
【０００１】
本発明はフレキシブルホースに関し、より詳細には真空掃除機に使用可能なフレキシブルホース及びそれを備えた真空掃除機に関する。
【背景技術】
【０００２】
一般に、フレキシブルホースとは長手方向に一定の長さだけの引張と圧縮が可能で、自由自在に曲げることができるホースのことを言う。フレキシブルホースは長手方向に伸縮が可能のようにホースの外側面に突出した複数の蛇腹部を備える。このような構造を有するフレキシブルホースは真空掃除機において吸引ノズルと掃除機本体とを連結するために使用することができる。
【０００３】
図１は、従来技術に係るフレキシブルホースの一例を示す断面図である。
【０００４】
同図に示すように、従来技術に係るフレキシブルホース１にはホースボディ１１の外周面に複数の蛇腹部１３が形成されている。それぞれの蛇腹部１３は略Ｕ字の状であり、蛇腹部１３を形成する両側面はホースボディ１１の外周面に対してほぼ垂直に形成され、各蛇腹部１３の内側１３ａはホースボディ１１の内部と連通している。従って、フレキシブルホース１は複数の蛇腹部１３によって所定の長さだけ伸縮が可能となる。
【０００５】
ところが、図１の矢印Ａの方向に空気のような流体がフレキシブルホース１の内側を流れる場合、流体の一部は矢印Ｂのように複数の蛇腹部１３の内側１３ａに引込まれるようになる。このようにフレキシブルホース１の内側に流れる流体の一部が複数の蛇腹部１３の内側１３ａに引込まれると、フレキシブルホース１の内側に流れる流体によって発生する騒音が大きくなる。
【０００６】
図２は、従来技術に係るフレキシブルホースの他の例を示す図である。
【０００７】
同図に示すように、従来技術の他の例に係るフレキシブルホース２は、硬鋼線２１とホースボディ２３を含む。硬鋼線２１はコイルスプリングのように螺旋状に形成され、ホースボディ２３は硬鋼線２１の外側を覆うように複合樹脂フィルムから形成される。このとき、硬鋼線２１の各ピッチ間のホースボディ２３には折り曲げ部２５が形成される。従って、フレキシブルホース２は硬鋼線２１と折り曲げ部２５によって長手方向に伸縮が可能となる。
【０００８】
ところが、このようなフレキシブルホース２は収縮した状態で折り曲げ部２５の間に略Ｕ字の状の蛇腹空間２７が形成され、その蛇腹空間２７には硬鋼線２１が位置するようになる。従って、フレキシブルホース２の内側に流体が流れる場合には一部の流体が蛇腹空間２７に流れるようになるため、流体がフレキシブルホース２の内側に流れる時に発生する騒音が大きくなる。
【０００９】
また、このような従来技術に係るフレキシブルホース２は硬鋼線２１を使用するため重量が大きくなる問題点もある。
【特許文献１】韓国実用登録第２０−０４３１１３６号公報
【発明の開示】
【発明が解決しようとする課題】
【００１０】
本発明は前述の問題点を鑑みてなされたもので、本発明の目的は内側に流れる流体の流れによって発生する騒音を減らすことができ、伸縮性を向上したフレキシブルホース及びそれを備えた真空掃除機を提供することにある。
【課題を解決するための手段】
【００１１】
前記のような本発明の目的は、ホースボディと、前記ホースボディの外周面に一定間隔をおいて形成され伸縮性を有する複数の蛇腹部と、を含み、前記複数の蛇腹部はその内面が前記ホースボディの外周面に対して傾斜して形成された引込み部と、前記引込み部から延長され前記外周面に対して垂直に形成された頭部とを含み、前記頭部は前記引込み部を介して前記ホースボディの内部と連通しているフレキシブルホースを提供することにより達成できる。
【００１２】
このとき、前記引込み部は前記ホースボディが圧縮すると、前記ホースボディと前記頭部との間を遮断するように形成することが好ましい。
また、前記複数の蛇腹部は一側面が内側に折れるように形成することが好ましい。
また、前記複数の蛇腹部は螺旋状に形成することが好ましい。
【００１３】
本発明の他の側面における本発明の目的は、ホースボディと、前記ホースボディの外周面に形成され伸縮性を有する複数の蛇腹部と、を含み、前記複数の蛇腹部は断面の形状が異なる第１蛇腹部と第２蛇腹部を含み、前記第１蛇腹部と第２蛇腹部が交互に形成されているフレキシブルホースを提供することにより達成できる。
【００１４】
このとき、前記第１蛇腹部は、その内面が前記ホースボディから延長され前記ホースボディの外周面に対して傾斜して形成された引込み部と、前記引込み部から延長され前記外周面に対して垂直に形成された頭部とを含み、前記頭部は前記引込み部を介して前記ホースボディと連通するように形成することが好ましい。
【００１５】
また、前記第２蛇腹部は、一側面の内側に前記ホースボディの外周面に対して平行に形成された第１突起と、前記第１突起の上側に、前記第２蛇腹部の他側面の内側に前記第１突起と滑り接触するように形成された第２突起を含むことが好ましい。
また、前記第１蛇腹部は一側面が内側に折れるように形成することができる。
また、前記複数の蛇腹部は螺旋状に形成することが好ましい。
【００１６】
本発明の他の側面における本発明の目的は、吸引ノズルと、前記吸引ノズルに連結され前記のような特徴と有するフレキシブルホースと、前記フレキシブルホースに連結される掃除機本体と、を含む真空掃除機を提供することにより達成できる。
【００１７】
このとき、前記フレキシブルホースは、前記複数の蛇腹部の引込み部が空気の吸引方向に対して反対方向に向かって傾斜するように形成することが好ましい。
【発明の効果】
【００１８】
本発明によるフレキシブルホースは、複数の蛇腹部の内側空間に引込まれる流体を遮断することができるため、流体がフレキシブルホースを通過するときに発生する騒音を最小化することができる。
【００１９】
また、本発明の一実施形態に係るフレキシブルホースは複数の蛇腹部の一側面が内側に折れた形状で形成されるため、複数の蛇腹部の両側面が平行に形成された従来技術に係るフレキシブルホースに比べ伸縮性が向上する。
【００２０】
従って、本発明の一実施形態に係るフレキシブルホースを備えた真空掃除機は、フレキシブルホースを通過する空気によって発生する騒音が最小化され、且つフレキシブルホースの伸縮性が向上するため、吸引ノズルの操作が容易になる。
【発明を実施するための最良の形態】
【００２１】
以下、添付の図面に基づいて本発明の好適な実施形態を詳述する。
但し、本発明を説明するにおいて、関連する公知の構成または機能に対する具体的な説明が本発明を不明にすると判断される場合は詳細な説明は省略する。
（実施形態１）
図３は本発明の一実施形態に係るフレキシブルホースを示す部分斜視図であり、図４は本発明の一実施形態に係るフレキシブルホースを示す部分断面図である。
【００２２】
図３及び図４に示すように、本発明の一実施形態に係るフレキシブルホース１００はホースボディ１０１と複数の蛇腹部１０３を含む。
【００２３】
ホースボディ１０１は空気のような流体が流れる通路を形成するものであって、その断面は略円形で形成される。
【００２４】
複数の蛇腹部１０３はフレキシブルホース１００に伸縮性を与えるためのもので、ホースボディ１０１の外周面に一定間隔をおいて突出するように形成される。フレキシブルホース１００は複数の蛇腹部１０３によって長手方向に所定の長さだけ引っ張られたり圧縮されたりできる。
【００２５】
複数の蛇腹部１０３は図４に示すように、断面の形状が相違なる第１蛇腹部１１０と第２蛇腹部１２０を含み、第１蛇腹部１１０と第２蛇腹部１２０は１ピッチ毎に交互に形成される。
【００２６】
第１蛇腹部１１０は一側面１１０ａが他側面１１０ｂの方に折れた形状に形成される。すなわち、第１蛇腹部１１０は一側面１１０ａが内側に折れるように形成され、その断面は略Ｒ字の状に形成される。第１蛇腹部１１０の断面をＲ字の状にすると、引張力が加えられた場合、平行な両側面を有する従来の蛇腹部に比べ両側面１１０ａ、１１０ｂの間の間隔が更に広くなる。従って、フレキシブルホース１００の伸縮性を向上させることができる。
【００２７】
このような第１蛇腹部１１０は引込み部１１１と頭部１１３を備える。引込み部１１１はホースボディ１０１の外周面から延長され、ホースボディ１０１の外周面に対して傾斜して形成される。頭部１１３は引込み部１１１から延長され、ホースボディ１０１の外周面に対して略垂直に形成される。従って、頭部１１３は引込み部１１１を介してホースボディ１０１の内部と連通する。また、引込み部１１１の傾斜方向は図４に示されているように、流体がホースボディ１０１を流れる方向（矢印Ａ）に対して反対方向に傾斜するよう形成することが好ましい。すると、第１蛇腹部１１０の引込み部１１１を介して頭部１１３に引込まれる流体は、矢印Ｃのようにホースボディ１０１を通過する流体の方向（矢印Ａ）に対して反対方向の流れになるため、第１蛇腹部１１０の頭部１１３に引込まれる流体は最小化される。従って、流体がフレキシブルホース１００を通過する時に発生する騒音が最小化される。
【００２８】
第２蛇腹部１２０は一側面の内側にホースボディ１０１から延長されホースボディ１０１の外周面に対して平行に形成された第１突起１２１と、第１突起１２１の上側に、第２蛇腹部１２０の他側面１２５（図６参照）に第１突起と滑り接触するように形成された第２突起１２２とを含む。従って、フレキシブルホース１００が長手方向に力を受けると第２突起１２２と第１突起１２１とが移動することにより、第２蛇腹部１２０の内部空間１２７（図６参照）がホースボディ１０１に対して開放および遮断される。フレキシブルホース１００が力を受けない場合、第１突起１２１と第２突起１２２は図４に示すように、第２蛇腹部１２０の内部空間１２７をホースボディ１０１の内側から遮断されるように形成することが好ましい。
【００２９】
このような構造を有するフレキシブルホース１００は、柔軟性を有する樹脂から形成されるため、フレキシブルホース１００が長手方向に力を受けると伸縮する。すなわち、フレキシブルホース１００が長手方向に圧縮力を受けると、第１蛇腹部１１０は図５に示すように、引込み部１１１が互いに接触する。引込み部１１１が接触するとホースボディ１０１に流れる流体が頭部１１３に引込まれなくなるため、流体の流れによって発生する騒音が減少する。また、フレキシブルホース１００が長手方向に圧縮力を受けると、第２蛇腹部１２０は第１突起１２１の先端が第２蛇腹部１２０の他側面１２５に接触するようになる。従って、フレキシブルホース１００が長手方向に圧縮力を受けるとき、フレキシブルホース１００は、最大第１蛇腹部１１０の引込み部１１１の間隔（Ｇ１）及び第２蛇腹部１２０の第１突起１２１と他側面１２５との間の間隔（Ｇ２、図６参照）だけ長さが収縮することができる。
【００３０】
逆に、フレキシブルホース１００が長手方向に引張力を受けると、第１蛇腹部１１０は引込み部１１１の間隔（Ｇ１）が更に大きくなる。また、第２蛇腹部１２０も図６に示すように、第１突起１２１の先端と他側面１２５との間の間隔（Ｇ２）が更に大きくなる。従って、フレキシブルホース１００が長手方向に引張力を受けると、フレキシブルホース１００は第１蛇腹部１１０の引込み部１１１の間隔（Ｇ１）と、第２蛇腹部１２０の第１突起１２１の先端と他側面１２５との間の間隔（Ｇ２）が大きくなった分だけ長さが長くなる。
【００３１】
また、本発明の一実施形態に係るフレキシブルホース１００を介して流体が流れる場合、第１蛇腹部１１０の引込み部１１１を流体の流れに対して反対方向に設けると騒音を最小化することができる。また、第２蛇腹部１２０の第１及び第２突起１２１、１２２が第２蛇腹部１２０の内部空間１２７に流体が引込まれることを防止するため騒音が最小化できる。
（実施形態２）
図７は、本発明に係るフレキシブルホースの他の実施例である。
同図に示すように、本発明の他の実施形態に係るフレキシブルホース１００’はホースボディ１０１と複数の蛇腹部１０５を含む。
【００３２】
複数の蛇腹部１０５はホースボディ１０１の外周面に螺旋状で形成され、前述した実施形態の第１蛇腹部１１０と同様の断面形状を有するように形成される。すなわち、本実施形態に係るフレキシブルホース１００’は複数の蛇腹部１０５がすべて同一の断面を有するように形成されている点の以外は、前述した実施形態に係るフレキシブルホース１００と同一である。従って、本実施形態に係るフレキシブルホース１００’の構造及び作用についての詳細説明は省略する。
【００３３】
上記の説明においては、本発明の実施形態に係るフレキシブルホースは複数の蛇腹部１０３、１０５が図３に示すように一つに連結された螺旋状に形成されている場合について説明したが、これは一例に過ぎない。本発明に係る他の実施形態係るフレキシブルホース２００は、図８に示すように、複数の蛇腹部２０３が互いに分離されたリング状に形成することができる。このとき、ホースボディ２０１の複数の蛇腹部２０３は前述した実施形態に係るホースボディ１０１及び複数の蛇腹部１０３と類似しているため詳細説明は省略する。
（実施形態３）
図９は本発明の一実施形態に係るフレキシブルホースを備えた真空掃除機の一例を示す図である。
【００３４】
同図に示すように、本発明の一実施形態に係るフレキシブルホースを備えた真空掃除機３００は、吸引ノズル３１０、延長管３２０、フレキシブルホース１００、及び掃除機本体３４０を含む。
【００３５】
吸引ノズル３１０は、被掃除面と接触して被掃除面から空気と共に汚物を吸引する汚物吸引口（図示せず）を含む。
【００３６】
延長管３２０は、吸引ノズル３１０の一側に連結され、吸引ノズル３１０の汚物吸引口を介して吸引された汚物と空気が掃除機本体３４０の方へ移動されるようにする。延長管３２０の一端にはユーザが把持できるようハンドル３３０が設けられる。
【００３７】
フレキシブルホース１００は、延長管３２０と掃除機本体３４０との間に設けられ、延長管３２０を通過した汚物と空気を掃除機本体３４０に案内する。フレキシブルホース１００の詳細構造は前述しているので、以下ではフレキシブルホース１００の構造についての説明は省略する。
【００３８】
このとき、フレキシブルホース１００の第１蛇腹部１１０の引込み部１１１がフレキシブルホース１００を介して汚物を含む空気が流れる方向に対して反対方向に向かって傾斜するようにフレキシブルホース１００を設けることが大事である。すなわち、図９の円の部分に拡大図示しているように、第１蛇腹部１１０の引込み部１１１が矢印Ａに対して反対方向に向かって傾斜するようにフレキシブルホース１００を延長管３２０と掃除機本体３４０との間に設けることが好ましい。このようにフレキシブルホース１００の第１蛇腹部１１０の引込み部１１１が空気の流れ方向に対して反対方向に形成されれば、フレキシブルホースを通過する流体、すなわち汚物を含む空気によって発生する騒音を最小化することができる。
【００３９】
掃除機本体３４０は吸引された汚物を含む空気から汚物を分離して収集する集塵装置（図示せず）と汚物を吸引する吸引力を発生させる真空発生装置（図示せず）を含む。
【００４０】
従って、掃除機本体３４０の真空発生装置が動作すると、吸引力が発生して吸引ノズル３１０の汚物吸引口を介して被掃除面の汚物を吸引する。吸引された汚物は延長管３２０とフレキシブルホース１００を介して掃除機本体３４０の集塵装置に移動される。このとき、フレキシブルホース１００は第１蛇腹部１１０の引込み部１１１がフレキシブルホース１００を通過する空気の方向に対して反対方向に向かって傾斜しているため、フレキシブルホース１００を通過する空気によって発生する騒音が最小化される。図１のような従来技術に係るフレキシブルホース１を使用する真空掃除機の場合、フレキシブルホース１を通過する空気によって発生する騒音が約６９．４ｄＢ程度であるが、本発明の一実施形態に係るフレキシブルホース１００を使用した真空掃除機３００の場合、フレキシブルホース１００で発生する騒音が約６８．９ｄＢ程度で約０．５ｄＢ程度の騒音が減少される。
【００４１】
集塵装置は引込まれた汚物を含む空気から汚物を分離して収集し、清潔な空気を排出する。集塵装置から排出された空気は真空発生装置を通過して掃除機本体３４０の外部へ排出される。
【００４２】
以上、本発明の一実施形態に係るフレキシブルホース１００を使用した装置の一例として真空掃除機について説明したが、本発明の一実施形態に係るフレキシブルホースを使用できる装置はこれに限定されない。
【００４３】
本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００４４】
【図１】従来技術に係るフレキシブルホースの一例を示す部分断面図である。
【図２】従来技術に係るフレキシブルホースの他の例を示す部分断面図である。
【図３】本発明の一実施形態に係るフレキシブルホースを示す部分斜視図である。
【図４】本発明の一実施形態に係るフレキシブルホースを示す部分断面図である。
【図５】図４のフレキシブルホースが軸方向に圧縮力を受けた場合の第１蛇腹部を示す部分断面図である。
【図６】図４のフレキシブルホースが軸方向に引張力を受けた場合の第２蛇腹部を示す部分断面図である。
【図７】本発明の他の実施形態に係るフレキシブルホースを示す部分断面図である。
【図８】本発明のまた他の実施形態に係るフレキシブルホースを示す部分斜視図である。
【図９】本発明の一実施形態に係るフレキシブルホースを備えた真空掃除機を示す断面図である。
【符号の説明】
【００４５】
１００、１００’、２００  フレキシブルホース
１０１、２０１  ホースボディ
１０３、１０５、２０３  蛇腹部
１１０      第１蛇腹部
１１１      引込み部
１１３      頭部
１２０      第２蛇腹部
１２１      第１突起
１２２      第２突起
３００      真空掃除機
３１０      吸引ノズル
３２０      延長管
３３０      ハンドル
３４０      掃除機本体
【図１】
2008296006.tif 000003
【図２】
2008296006.tif 000004
【図３】
2008296006.tif 000005
【図４】
2008296006.tif 000006
【図５】
2008296006.tif 000007
【図６】
2008296006.tif 000008
【図７】
2008296006.tif 000009
【図８】
2008296006.tif 000010
【図９】
2008296006.tif 000011